(57)【特許請求の範囲】
【請求項１】
電線が接続される電線接続部と、相手端子が接触する端子接触部と、前記電線接続部と前記端子接触部とを連結する連結部とからなり、前記電線接続部と前記端子接触部とが、各一端部を共に前記連結部に連結させ且つ各他端部を共に同一方向に向けて配置してなるコネクタ用端子と、
前記コネクタ用端子を端子収容室に収容保持するコネクタハウジングとを備えており、
相手コネクタを前記端子収容室に挿入させる結合方向より、前記コネクタ用端子を前記端子収容室に挿入させてなることを特徴とするコネクタ。
【請求項２】
前記端子収容室には、前記コネクタ用端子を挿入保持させる端子挿入用穴が形成されていると共に、前記端子挿入用穴に挿入された前記コネクタ用端子の前記連結部に係合する端子抜け止め部が設けられていることを特徴とする請求項１記載のコネクタ。
【請求項３】
前記端子収容室に相手コネクタが挿入結合されたとき、前記相手コネクタにより前記コネクタ用端子が押し込まれることを特徴とする請求項１又は２に記載のコネクタ。
【発明の詳細な説明】
【０００１】
【発明の属する技術分野】
本発明は、端子を端子収容室に収容保持してなるコネクタに関し、詳細には、端子収容室からの端子の抜けを防止し、二重係止部材を必要としないコネクタを提供することにある。
【０００２】
【従来の技術】
例えば、基板用コネクタ１０１は、図１０に示すように、コネクタハウジング１０２に複数本の端子１０３を配列しており、その各端子１０３をプリント配線板１０４に形成されたスルーホール１０５に挿通させ、配線パターンのランド部と端子１０３とをはんだ接続することにより前記プリント配線板１０４に装着されている。
【０００３】
この基板用コネクタ１０１には、図１１に示すように、コネクタハウジング１０２の端子収容室１０７に相手コネクタ１０６が挿入されるようになっている。そして、この相手コネクタ１０６が基板用コネクタ１０１に結合されることで、相手コネクタ１０６の端子（図示は省略する）が前記基板用コネクタ１０１の端子１０３と接触することになる。
【０００４】
しかし、相手コネクタ１０６の結合時及び結合後における端子の接触荷重などで、図１１に示すように、コネクタハウジング１０２に設けられた端子１０３がプリント配線板１０４のコネクタ装着面１０４ａとは反対側の裏面１０４ｂ側に押し出されることがある。
【０００５】
一方、電線が接続されたいわゆる電線コネクタは、図１２に示すように、それぞれのコネクタハウジング１０８、１０９に収容された端子１１０（一方の端子は図示を省略する）に電線１１１、１１２が接続されたもので、雌コネクタ１１３に雄コネクタ１１４を結合させることで、前記端子１１０同士の接続が行われる。
【０００６】
しかし、電線コネクタの場合、コネクタ同士が嵌合した後において、不慮の外力により端子１１０がコネクタハウジング１０９から抜け出る可能性がある。これを防止するために、図１２に示すように、コネクタハウジング１０９に端子１１０の抜け止めを図る二重係止部材１１５を設ける必要がある。そうすると、コストアップや作業工数増になってしまう。
【０００７】
【発明が解決しようとする課題】
このように、基板用コネクタ１０１及び電線コネクタ１１３では、端子１０３、１１０の抜けが発生したり、端子１１０の抜けを防止する二重係止部材１１５を必要とするなど、コストアップや作業工数の増大が避けられない。
【０００８】
そこで本発明は、上述の課題を解決するために提案されたものであり、端子収容室からの端子の抜けを防止すると共に二重係止部材を必要としない低コストで作業工数の少ないコネクタを提供することにある。
【０００９】
【課題を解決するための手段】
上記の課題を解決するために、請求項１記載の発明は、電線が接続される電線接続部と、相手端子が接触する端子接触部と、前記電線接続部と前記端子接触部とを連結する連結部とからなり、前記電線接続部と前記端子接触部とが、各一端部を共に前記連結部に連結させ且つ各他端部を共に同一方向に向けて配置してなるコネクタ用端子と、前記コネクタ用端子を端子収容室に収容保持するコネクタハウジングとを備えており、相手コネクタを前記端子収容室に挿入させる結合方向より、前記コネクタ用端子を前記端子収容室に挿入させてなることを特徴とする。
【００１０】
この発明では、相手コネクタを端子収容室に挿入させる結合方向より、コネクタ用端子を前記端子収容室に挿入してなるものであるから、相手コネクタとの結合により前記コネクタ用端子が端子収容室から抜け出るようなことが起こらない。このため、端子収容室からのコネクタ用端子の抜け止めを図る二重係止部材が不要となる。
【００１１】
また、コネクタ用端子の電線接続部と端子接触部を、同一線上に設けるのではなく連結部に基端部を連結させ他端部を同一方向に向けて配置したことにより、コネクタ端子の小型化が図れ、ひいてはコネクタ自体を小型化できる。
【００１２】
請求項２記載の発明は、請求項１記載のコネクタにおいて、前記端子収容室には、前記コネクタ用端子を挿入保持させる端子挿入用穴が形成されていると共に、前記端子挿入用穴に挿入された前記コネクタ用端子の前記連結部に係合する端子抜け止め部が設けられていることを特徴とする。
【００１３】
この発明では、端子挿入用穴に挿入されたコネクタ用端子の連結部に、端子収容室に形成された端子抜け止め部が係合するので、前記コネクタ用端子が前記端子収容室から抜け出ることがない。
【００１４】
請求項３記載の発明は、請求項１又は２記載のコネクタにおいて、前記端子収容室に相手コネクタが挿入結合されたとき、前記相手コネクタにより前記コネクタ用端子が押し込まれることを特徴とする。
【００１５】
本発明では、端子収容室に相手コネクタが挿入結合されたときに、前記相手コネクタにより前記コネクタ用端子が押し込まれるので、仮にコネクタ用端子が不完全装着状態にあっても、前記コネクタ用端子が奥まで押し込まれることになり、コネクタ用端子の半挿入状態が回避される。
【００１６】
【発明の実施の形態】
以下、本発明を適用した具体的な一実施形態について図面を参照しながら詳細に説明する。
【００１７】
本実施形態は、本発明を、例えば自動車の運転席又は助手席のフロントウィンドー上端に設けられるサンバイザー（補器）を車体（パネル）に固定するための車体取付用ブラケットに取り付けられるコネクタに適用したものである。
【００１８】
『車体取付用ブラケットの構造』
本実施形態における補器の車体取付用ブラケット１は、図１に示すように、車体のインナーパネル２にサンバイザー（図示は省略する）を固定するためのもので、前記サンバイザーを支持する固定シャフト３の先端に取り付けられる。かかる車体取付用ブラケット１は、第１のコネクタである雄コネクタ部４を有した第１のブラケットであるパネル側ブラケット５と、パネル側ブラケット５に合体して雄コネクタ部４と結合する第２のコネクタである雌コネクタ部６を有すると共に、インナーパネル２に形成されたブラケット取付孔７、７に挿通されて該インナーパネル２に係止される円筒状のグロメットスクリュー８、８を有した第２のブラケットであるバイザ側ブラケット９と、パネル側ブラケット５が合体される側とは反対側のバイザ側ブラケット９に装着されるカバー１０とからなる。
【００１９】
＜バイザ側ブラケットの構成＞
バイザ側ブラケット９は、図１に示すように、インナーパネル２に固定される内装材であるトリム１１を挟んでパネル側ブラケット５とは反対側に設けられて前記インナーパネル２に固定される。かかるバイザ側ブラケット９には、図２及び図４に示すように、固定シャフト３の先端側部を保持するシャフト固定部１２が形成されている。シャフト固定部１２は、その中心に固定シャフト３を挿通させるシャフト固定用孔１３を有した円筒体として形成されている。
【００２０】
また、上記バイザ側ブラケット９には、図２及び図４に示すように、雌コネクタ部６を装着させるコネクタ装着部１４が形成されている。かかるコネクタ装着部１４は、シャフト固定部１２の前方に雌コネクタ部６を装着させる凹部として形成され、該雌コネクタ部６をがたつきなく嵌合装着せしめる。このコネクタ装着部１４には、雌コネクタ部６の雌コネクタハウジング１５に形成されたロック係合用孔部１６に入り込んで前記雌コネクタ部６をバイザ側ブラケット９に固定するコネクタ固定用ロック爪１７、１７が形成されている。
【００２１】
また、上記バイザ側ブラケット９には、図１及び図４に示すように、インナーパネル２に形成されたブラケット取付孔７、７に挿通されて該インナーパネル２に形成されるグロメットスクリュー８、８が形成されている。グロメットスクリュー８、８は、後述するカバー１０に形成されたグロメットスクリュー用突起１８、１８を挿通させる中心孔１９を有した円筒体として形成されている。かかるグロメットスクリュー８、８は、先端から基端側に亘りその高さ方向に形成されたスリット２０により、その円筒体を略三等分とした変位可能なスクリュー片部８ａ、８ａ、８ａを有している。
【００２２】
そして、上記グロメットスクリュー８、８の基端部には、上記パネル側ブラケット５を支えるためのブラケット支持部２１、２１が形成されている。ブラケット支持部２１、２１は、上記グロメットスクリュー８、８の直径よりも大きな円筒体として形成されており、該グロメットスクリュー８、８の基端部に一体化されている。このブラケット支持部２１、２１は、円環状をなす上端面にパネル側ブラケット５を載置させて、該パネル側ブラケット５を支持することになる。
【００２３】
また、上記バイザ側ブラケット９には、図２及び図４に示すように、パネル側ブラケット５を合体させるための合体凹部２２、２２が形成されている。合体凹部２２、２２は、コネクタ装着部１４の両脇に形成されており、後述するパネル側ブラケット５に形成された取付爪２３、２３を嵌合させて前記パネル側ブラケット５を前記バイザ側ブラケット９に位置決め合体させるようになす。
【００２４】
また、上記バイザ側ブラケット９には、図２及び図４に示すように、インナーパネル２に形成されたコネクタ挿通用孔２４よりインナーパネル２とアウターパネル間の空間部（図示は省略する）に臨んで前記インナーパネル２の内面に係止される引掛け爪部２５、２５が形成されている。
【００２５】
また、上記バイザ側ブラケット９には、図３に示すように、後述するパネル側ブラケット５に形成されたロック爪２６、２６を先端に有したロック片２７、２７を挿通させる孔部２８、２８が形成されている。この孔部２８、２８には、前記ロック爪２６、２６と係合する係合凸部２９、２９を有したロックアーム３０、３０が設けられている。かかるロックアーム３０、３０は、パネル側ブラケット５を合体させる側を基端部としてカバー１０が装着される裏面側へ垂下する舌片形状として形成されており、その自由端側を上記孔部２８、２８に臨ませるようにして当該バイザ側ブラケット９との間に撓み空間３１を持って形成されている。
【００２６】
＜雌コネクタ部の構成＞
上記バイザ側ブラケット９に取付けられる雌コネクタ部６は、図１及び図２に示すように、コネクタ装着部１４に嵌合装着される雌コネクタハウジング１５を有する。雌コネクタハウジング１５には、サンバイザーに設けられたランプと接続されるリード線３２、３２の先端に設けられたコネクタ用端子３３、３３を収容する端子収容室３４が形成されている。
【００２７】
上記端子収容室３４の底面３４ａには、図５及び図６に示すように、コネクタ用端子３３、３３を挿入保持させる端子挿入用穴５０、５０が形成されている。この端子挿入用穴５０、５０は、後述するコネクタ用端子３３、３３の連結部５４を挿入させる矩形状をなす底部を有した止まり穴として形成され、前記コネクタ用端子３３、３３をがたつかせずにガイドするようになしている。この端子挿入用穴５０、５０にコネクタ用端子３３、３３が挿入保持された状態においては、前記連結部５４の上端縁５４ａが前記端子挿入用穴５０、５０より極僅かに突出するか又は突出しない程度とされている。
【００２８】
また、この端子収容室３４には、端子挿入用穴５０、５０に挿入されたコネクタ用端子３３、３３の連結部５４に係合する端子抜け止め部５１が形成されている。上記端子抜け止め部５１は、前記コネクタ用端子３３、３３をその厚み方向から把持するようにしてガイドする一方のハウジング隔壁１５ａの基端部に設けられており、前記端子挿入用穴５０、５０の上方に僅かに突出するようにして設けられている。この端子抜け止め部５１の下端面５１ａは、上記端子挿入用穴５０、５０に挿入された連結部５４の上端縁５４ａに接触することで、前記コネクタ用端子３３、３３を前記端子収容室３４から抜け出るのを防止する。
【００２９】
また、上記雌コネクタハウジング１５には、バイザ側ブラケット９に形成されたコネクタ固定用ロック爪１７、１７を挿通係合させるロック係合用孔部１６が形成されている。そして、この雌コネクタハウジング１５には、ヒンジ部３５、３５を介して図２中矢印Ｘ方向に可動自在な電線保護部材３６が設けられている。電線保護部材３６は、固定シャフト３内を通してシャフト固定部１２の先端より導出される電線３２、３２を覆って保護するキャップとして形成されており、該シャフト固定部１２の先端に装着される。
【００３０】
そして、上記電線保護部材３６のヒンジ部３５、３５と連接するアーム部３９、３９は、固定シャフト３の先端から端子収容室３４へと導出されるそれぞれの電線３２、３２を覆うようにして保護している。また、電線保護部材３６には、上記雌コネクタハウジング１５に設けられたキャップ止め突起３７を挿通係合させて、図１に示す如くヒンジ部３５を折曲げ部として該電線保護部材３６を雌コネクタハウジング１５に固定保持させる係合孔部３８が形成されている。
【００３１】
＜コネクタ用端子の構成＞
上記コネクタ用端子３３、３３は、図２及び図６に示すように、電線３２が接続される電線接続部５２と、相手端子が接触する端子接触部５３と、前記電線接続部５２と前記端子接触部５３とを連結する連結部５４とからなる。かかるコネクタ用端子３３、３３は、金属板を打ち抜き加工及び曲げ加工することによって一体的に形成されている。
【００３２】
上記電線接続部５２は、電線３２の絶縁被覆部を加締める電線加締め部５５と、電線３２の芯線を加締める芯線加締め接続部５６とからなる。図６は、電線加締め部５５及び芯線加締め接続部５６を加締める前の状態が示されている。そして、この電線接続部５２は、一端部である芯線加締め接続部５６の基端部を上記連結部５４に連結させ且つ他端部である電線加締め部５５を上方に向けている。
【００３３】
上記端子接触部５３は、相手端子である雌端子と接触する棒状の接触部とされている。この端子接触部５３は、一端部である基端部を上記連結部５４に連結させ且つ他端部である先端部を、上記電線接続部５２と同一方向である上方に向けている。
【００３４】
上記連結部５４は、平板状をなす板状体として形成されており、その短辺方向を挿入方向として上記した端子挿入用穴５０、５０に挿入されるようになされている。そして、この連結部５４の長手方向における両端部に、前記電線接続部５２と端子接触部５３が同一方向である上方に向けてほぼ平行に設けられている。その結果、コネクタ用端子３３、３３は、平面略Ｕ字形状とされている。
【００３５】
＜パネル側ブラケットの構成＞
パネル側ブラケット５は、図１及び図７に示すように、トリム１１を挟んでバイザ側ブラケット９と合体して互いの雄コネクタ部４と雌コネクタ部６とを結合させる。かかるパネル側ブラケット５には、上記バイザ側ブラケット９に固定された雌コネクタ部６と結合する雄コネクタ部４が設けられている。雄コネクタ部４には、インナーパネル２とアウターパネル間の空間部に配索されたワイヤハーネスの先端に接続された雌端子５７（後述する）を収容させる端子収容室４０を有した雄コネクタハウジング４１が形成されている。この雄コネクタハウジング４１は、上記した雌コネクタ部６の雌コネクタハウジング１５に挿入嵌合して、それぞれの端子を電気的に接触させる。
【００３６】
また、上記パネル側ブラケット５には、バイザ側ブラケット９に形成された合体凹部２２、２２に嵌合して当該バイザ側ブラケット９と合体するための取付爪２３、２３を有している。取付爪２３、２３は、図１及び図７に示すように、略Ｌ字状をなす爪として形成され、トリム１１に形成された開口部４２よりバイザ側ブラケット９側へ臨むようになっている。
【００３７】
また、上記パネル側ブラケット５には、前記開口部４２を介してグロメットスクリュー８、８を遊嵌させる円形孔部４３、４３と、上記した電線保護部材３６との接触を防止するための逃げ孔部４４と、トリム１１を係止するトリム係止爪部４５とが形成されている。
【００３８】
また、上記パネル側ブラケット５には、図３及び図７に示すように、先端にロック爪２６、２６を有したロック片２７、２７が形成されている。ロック片２７、２７は、バイザ側ブラケット９へと垂下する矩形状をなす舌片として形成され、該バイザ側ブラケット９に形成された孔部２８、２８に挿通されるようになっている。このロック片２７、２７の先端に形成されたロック爪２６、２６は、バイザ側ブラケット９に形成されたロックアーム３０、３０の係合凸部２９、２９と係合するようになされている。
【００３９】
上記雄コネクタハウジング４１に収容される雌端子５７は、図８に示すように、電線接続部５８と、端子接触部５９とからなる。電線接続部５８は、インナーパネル２とアウターパネル間の空間部に配索されたワイヤハーネスの絶縁被覆部を加締める電線加締め部６０と、芯線を加締める芯線加締め接続部６１とからなる。一方、端子接触部５９は、上記したコネクタ用端子３３、３３の端子接触部５３を内部に挿入接触させて電気的接続をとる箱体形状に形成されている。
【００４０】
＜カバーの構成＞
カバー１０は、図１に示すように、パネル側ブラケット５が合体される側とは反対側のバイザ側ブラケット９に装着され、当該バイザ側ブラケット９を覆うようになっている。このカバー１０には、図１及び図９に示すように、バイザ側ブラケット９の外周縁部に係合して、当該バイザ側ブラケット９にカバー１０を固定するための係合爪である組込用爪４６が複数箇所に形成されている。
【００４１】
また、上記カバー１０には、固定シャフト３を挿通させるための切欠き部４８が形成されている。切欠き部４８は、カバー１０の外側縁の一部からそのほぼ中心部に亘る位置までストレートに形成された切欠き溝として形成されている。また、上記カバー１０には、上記バイザ側ブラケット９に形成された撓み空間３１に挿入されて上記ロックアーム３０、３０を上記パネル側ブラケット５に形成されたロック片２７、２７に押し付けるロック用突起４９、４９が形成されている。
【００４２】
上記ロック用突起４９、４９は、図３及び図９に示すように、矩形状をなす舌片として形成され、先端側に行くに従って互いの対向距離を広げるように垂線に対してθなる角度を有して形成されている。つまり、ロック用突起４９、４９は、カバー１０の内面１０ａに対して垂直ではなく斜めに形成されている。このように形成されたロック用突起４９、４９を上記撓み空間３１に嵌入すると、上記ロックアーム３０、３０がこのロック用突起４９、４９に押されて上記ロック片２７、２７側へ押し付けられて行くことになる。
【００４３】
『サンバイザーの取付け方法』
以上のように構成された車体取付用ブラケット１を用いたサンバイザーの車体への取付けは、次のように行う。
【００４４】
先ず、図１に示すように、パネル側ブラケット５をトリム１１に装着する。すなわち、トリム１１に形成された開口部４２に取付爪２３、２３、雄コネクタハウジング４１、ロック片２７、２７及びトリム係止爪部４５を臨ませ、前記トリム係止爪部４５を前記トリム１１に引っ掛けて、前記パネル側ブラケット５を前記開口部４２を覆うようにして装着する。そして、パネル側ブラケット５が装着されたトリム１１をインナーパネル２に固定する。
【００４５】
次に、固定シャフト３の先端に固定されたバイザ側ブラケット９を、トリム１１を挟んで前記パネル側ブラケット５に合体させる。すなわち、トリム１１に形成された開口部４２にグロメットスクリュー８、８、電線保護部材３６、雌コネクタ部６及び引掛け爪部２５、２５を臨ませ、前記取付爪２３、２３をバイザ側ブラケット９の合体凹部２２、２２に対応させて、前記バイザ側ブラケット９をパネル側ブラケット５側へ合体させて行く。
【００４６】
なお、グロメットスクリュー８、８は、パネル側ブラケット５に形成された円形孔部４３、４３及びインナーパネル２に形成されたブラケット取付孔７、７に臨み、その先端部がインナーパネル２とアウターパネル間の空間部に突出する。また、電線保護部材３６が、パネル側ブラケット５に形成された逃げ孔部４４に臨む。
【００４７】
上記バイザ側ブラケット９をパネル側ブラケット５に合体させて行くと、パネル側ブラケット５に形成されたロック片２７、２７が、上記バイザ側ブラケット９に形成された孔部２８、２８に挿入されて行くと共に、雌コネクタ部６の雌コネクタハウジング１５に前記雄コネクタ部４の雄コネクタハウジング４１が嵌合されて行く。そして、図３に示すように、バイザ側ブラケット９とパネル側ブラケット５とが合体すると、雄コネクタハウジング４１と雌コネクタハウジング１５が結合すると共に、ロック片２７、２７のロック爪２６、２６とロックアーム３０、３０の係合凸部２９、２９とが係合する。これらロック爪２６、２６と係合凸部２９、２９との係合により、パネル側ブラケット５とバイザ側ブラケット９との合体状態がロックされることになる。
【００４８】
上記ロック爪２６、２６と上記係合凸部２９、２９との係合状態は、図３に示すように、バイザ側ブラケット９に形成された孔部２８、２８より目視により見ることができる。そのため、パネル側ブラケット５とバイザ側ブラケット９とが完全に合体されているか否か、または、雄コネクタハウジング４１と雌コネクタハウジング１５とが結合されているか否かを目視により観察することができ、コネクタの半嵌合状態をサンバイザー取付け完了前に検知することができる。
【００４９】
上記ロック爪２６、２６と上記係合凸部２９、２９とが図３に示す如く正常に係合すると、雄コネクタハウジング４１と雌コネクタハウジング１５とが確実に結合し、且つ撓み空間３１が所望の空間部を保持する。そうでない場合は、係合凸部２９、２９がロック爪２６、２６に押されて上記ロックアーム３０、３０が撓み、前記撓み空間３１が狭くなるか或いは無くなり、雄コネクタハウジング４１と雌コネクタハウジング１５が不完全結合な半嵌合状態となる。
【００５０】
上記雄コネクタハウジング４１と上記雌コネクタハウジング１５との結合により、雌コネクタハウジング１５に収容されたコネクタ用端子３３、３３と雄コネクタハウジング４１に収容された雌端子５７とが接触する。このとき、コネクタ用端子３３、３３が不完全装着状態にあっても、当該コネクタ用端子３３、３３が前記雄コネクタハウジング４１によって奥まで押し込まれるため、不完全装着が回避される。
【００５１】
次に、図３に示すように、カバー１０をバイザ側ブラケット９に装着させる。すなわち、カバー１０に形成したグロメットスクリュー用突起１８、１８を、図３に示すように、グロメットスクリュー８、８の中心孔１９に挿通させる。すると、グロメットスクリュー８、８の先端部が、グロメットスクリュー用突起１８、１８に押し広げられる。これにより、スクリュー片部８ａ、８ａ、８ａの先端側が開き、当該スクリュー片部８ａ、８ａ、８ａがブラケット取付孔７、７の開口周縁部に押圧される。その結果、車体取付用ブラケット１がインナーパネル２に固定される。
【００５２】
また、カバー１０に形成されたロック用突起４９、４９が、前記バイザ側ブラケット９の撓み空間３１内に入り込む。すると、図３に示すように、上記ロック用突起４９、４９によって上記ロックアーム３０、３０がパネル側ブラケット５に形成されたロック片２７、２７側へと付勢せしめられ、上記ロック爪２６、２６と上記係合凸部２９、２９との係合状態がより一層確実なものとなる。
【００５３】
このように、本実施形態によれば、雄コネクタ部４を端子収容室３４に挿入させる結合方向より、コネクタ用端子３３、３３を前記端子収容室３４に挿入してなるものであるから、雄コネクタ部４との結合により前記コネクタ用端子３３、３３が端子収容室３４から抜け出るようなことが起こらない。このため、端子収容室３４からのコネクタ用端子３３、３３の抜け止めを図る二重係止部材が不要となる。
【００５４】
また、本実施形態によれば、端子挿入用穴５０、５０に挿入されたコネクタ用端子３３、３３の連結部５４に、端子収容室３４に形成された端子抜け止め部５１が係合するので、前記コネクタ用端子３３、３３が前記端子収容室３４から抜け出ることがない。
【００５５】
以上、本発明を適用した具体的な一実施形態について説明したが、本発明は、上述の実施形態に制限されることなく種々の変更が可能である。
【００５６】
上述の実施形態では、サンバイザーをパネルに固定するためのブラケットに設けられたコネクタに本発明を適用したが、本発明のコネクタは、種々の分野に使用されるコネクタに適用できる。また、上述のコネクタ用端子は、平面略Ｕ字形状としたが、Ｕ字形状に制限されるものではない。
【００５７】
【発明の効果】
本発明は、以上説明したような形態で実施され、以下に記載されるような効果を奏する。
【００５８】
請求項１記載の発明によれば、相手コネクタを端子収容室に挿入させる結合方向より、コネクタ用端子を前記端子収容室に挿入してなるものであるから、相手コネクタとの結合により前記コネクタ用端子が端子収容室から抜け出るようなことが起こらない。このため、端子収容室からのコネクタ用端子の抜け止めを図る二重係止部材を無くすことができ、部品点数の削減及びコストの低減が図れる。
【００５９】
また、コネクタ用端子の電線接続部と端子接触部を、同一線上に設けるのではなく連結部に基端部を連結させ他端部を同一方向に向けて配置したことにより、コネクタ端子の小型化を図ることができ、ひいてはコネクタ自体を小型化することができる。
【００６０】
請求項２記載の発明によれば、請求項１記載の発明の効果に加えて、端子挿入用穴に挿入されたコネクタ用端子の連結部に、端子収容室に形成された端子抜け止め部が係合するので、前記コネクタ用端子の前記端子収容室からの抜けを防止することができる。
【００６１】
請求項３記載の発明によれば、請求項１又は２記載の発明の効果に加えて、端子収容室に相手コネクタが挿入結合されたときに、前記相手コネクタによりコネクタ用端子が押し込まれるので、仮にコネクタ用端子が不完全装着状態にあっても、前記コネクタ用端子が奥まで押し込まれることになり、コネクタ用端子の半挿入状態を回避することができる。
【図面の簡単な説明】
【図１】本実施形態における補器の車体取付用ブラケットの分解斜視図である。
【図２】バイザ側ブラケットとこれに装着される雌コネクタ部の分解斜視図である。
【図３】車体取付用ブラケットの組立状態を示す断面図である。
【図４】バイザ側ブラケットを示すもので、（ａ）は平面図、（ｂ）はそのＡ−Ａ線断面図、（ｃ）はそのＢ−Ｂ線断面図である。
【図５】雌コネクタ部を示すもので、（ａ）は平面図、（ｂ）はその側面図、（ｃ）はその断面図である。
【図６】コネクタ用端子と、このコネクタ用端子が収容される端子収容室の要部斜視図である。
【図７】パネル側ブラケットを示すもので、（ａ）は平面図、（ｂ）はその右側面図、（ｃ）はそのＣ−Ｃ線断面図である。
【図８】雄コネクタ部に収容される雌端子を示すもので、（ａ）は平面図、（ｂ）はその側面図、（ｃ）はその底面図である。
【図９】カバーを示すもので、（ａ）は平面図、（ｂ）はそのＤ−Ｄ線断面図、（ｃ）はその横断面図である。
【図１０】従来の基板用コネクタがプリント配線板に装着された状態を示す斜視図である。
【図１１】図１０に示す基板用コネクタに相手コネクタが装着されることにより、コネクタハウジングから端子が抜け出る状態を示す断面図である。
【図１２】二重係止部材が設けられた電線コネクタに相手コネクタを結合させる状態を示す断面図である。
【符号の説明】
１  車体取付用ブラケット
２  インナーパネル
３  固定シャフト
４  雄コネクタ部
５  パネル側ブラケット
６  雌コネクタ部
７  ブラケット取付孔
８  グロメットスクリュー
９  バイザ側ブラケット
１０  カバー
１１  トリム
３３  コネクタ用端子
３４  端子収容室
５０  端子挿入用穴
５１  端子抜け止め部
５２  電線接続部
５３  端子接触部
５４  連結部
５５  電線加締め部
５６  芯線加締め接続部
【図１】
0003662456.tif 000002
【図２】
0003662456.tif 000003
【図３】
0003662456.tif 000004
【図４】
0003662456.tif 000005
【図５】
0003662456.tif 000006
【図６】
0003662456.tif 000007
【図７】
0003662456.tif 000008
【図８】
0003662456.tif 000009
【図９】
0003662456.tif 000010
【図１０】
0003662456.tif 000011
【図１１】
0003662456.tif 000012
【図１２】
0003662456.tif 000013